【手続補正書】
【提出日】平成30年6月22日(2018.6.22)
【手続補正１】
【補正対象書類名】特許請求の範囲
【補正対象項目名】請求項７
【補正方法】変更
【補正の内容】
【請求項７】
請求項１乃至請求項５のいずれかに記載のコネクタであって、
前記コネクタは、レセプタクルであり、
前記コンタクトは、弾性変形可能なバネ部と、前記バネ部に支持された接点とを更に有しており、
前記ハウジングは、２つ以上のレセプタクルコンタクト支持部と、２つ以上の島状部と、１つ以上のレセプタクル側凹部と、２つ以上の受容部とを更に有しており、
前記レセプタクルコンタクト支持部及び前記島状部は、前記コンタクト列に夫々対応しており、
前記レセプタクルコンタクト支持部は、前記ピッチ方向に長手を有しており、
前記島状部の夫々は、対応する前記コンタクト列の前記コンタクトの前記バネ部を部分的に収容しており、
前記島状部は、前記ピッチ方向に長手を有しており、
前記受容部は、前記所定方向において、前記２列以上の前記コンタクト列のうちの一つの前記コンタクト列に対応する前記レセプタクルコンタクト支持部と前記島状部との間に位置しており、
前記レセプタクル側凹部は、前記所定方向において、前記２列以上の前記コンタクト列のうちの一つの前記コンタクト列に対応する前記レセプタクルコンタクト支持部と前記２列以上の前記コンタクト列のうちの他の前記コンタクト列に対応する前記島状部との間に位置しており、
前記開口部は、前記レセプタクル側凹部内に位置している
コネクタ。
【手続補正２】
【補正対象書類名】特許請求の範囲
【補正対象項目名】請求項９
【補正方法】変更
【補正の内容】
【請求項９】
請求項８記載のコネクタであって、
前記コンタクトは、被保持部と、湾曲部とを更に有しており、
前記湾曲部は、前記ピッチ方向及び前記所定方向の双方と直交する上下方向において前記被保持部と前記対向バネ部とから上方に延びると共に前記被保持部と前記対向バネ部とを連結しており、
前記湾曲部は、前記ピッチ方向と直交する面内において前記バネ部と比較して薄い厚みを有している
コネクタ。
【手続補正３】
【補正対象書類名】明細書
【補正対象項目名】０００２
【補正方法】変更
【補正の内容】
【０００２】
図１７乃至図１９を参照すると、特許文献１には、回路基板９３０，９８０上に設置されると共に互いに接続可能な第１コネクタ９００及び第２コネクタ９５０が開示されている。図１７に示されるように、特許文献１の第１コネクタ９００は、複数の第１端子９１０と、第１端子９１０を保持する第１ハウジング９２０とを備えている。第１端子９１０は、ソルダーテール部９１２を有している。第１ハウジング９２０には、複数の第１端子収容キャビティ９２２が形成されており、第１端子９１０は第１端子収容キャビティ９２２に夫々収容されている。図１８に示されるように、特許文献１の第２コネクタ９５０は、複数の第２端子９６０と、第２端子９６０を保持する第２ハウジング９７０とを備えている。第２端子９６０は、ソルダーテール部９６２を有している。第２ハウジング９７０には、複数の第２端子収容キャビティ９７２が形成されており、第２端子９６０は第２端子収容キャビティ９７２に夫々収容されている。図１９に示されるように、第１コネクタ９００のソルダーテール部９１２は回路基板９３０の配線ランド９３２に半田付けされており、また第２コネクタ９５０のソルダーテール部９６２は回路基板９８０の配線ランド９８２に半田付けされている。第１コネクタ９００と第２コネクタ９５０は夫々基板上に搭載された状態で互いに嵌合し、第１コネクタ９００の第１端子９１０と第２コネクタ９５０の第２端子９６０とが夫々接続される。
【手続補正４】
【補正対象書類名】明細書
【補正対象項目名】００１１
【補正方法】変更
【補正の内容】
【００１１】
また、本発明は、第７のコネクタとして、第１乃至第５のいずれかのコネクタであって、
前記コネクタは、レセプタクルであり、
前記コンタクトは、弾性変形可能なバネ部と、前記バネ部に支持された接点とを更に有しており、
前記ハウジングは、２つ以上のレセプタクルコンタクト支持部と、２つ以上の島状部と、１つ以上のレセプタクル側凹部と、２つ以上の受容部とを更に有しており、
前記レセプタクルコンタクト支持部及び前記島状部は、前記コンタクト列に夫々対応しており、
前記レセプタクルコンタクト支持部は、前記ピッチ方向に長手を有しており、
前記島状部の夫々は、対応する前記コンタクト列の前記コンタクトの前記バネ部を部分的に収容しており、
前記島状部は、前記ピッチ方向に長手を有しており、
前記受容部は、前記所定方向において、前記２列以上の前記コンタクト列のうちの一つの前記コンタクト列に対応する前記レセプタクルコンタクト支持部と前記島状部との間に位置しており、
前記レセプタクル側凹部は、前記所定方向において、前記２列以上の前記コンタクト列のうちの一つの前記コンタクト列に対応する前記レセプタクルコンタクト支持部と前記２列以上の前記コンタクト列のうちの他の前記コンタクト列に対応する前記島状部との間に位置しており、
前記開口部は、前記レセプタクル側凹部内に位置している
コネクタを提供する。
【手続補正５】
【補正対象書類名】明細書
【補正対象項目名】００１３
【補正方法】変更
【補正の内容】
【００１３】
また、本発明は、第９のコネクタとして、第８のコネクタであって、
前記コンタクトは、被保持部と、湾曲部とを更に有しており、
前記湾曲部は、前記ピッチ方向及び前記所定方向の双方と直交する上下方向において前記被保持部と前記対向バネ部とから上方に延びると共に前記被保持部と前記対向バネ部とを連結しており、
前記湾曲部は、前記ピッチ方向と直交する面内において前記バネ部と比較して薄い厚みを有している
コネクタを提供する。
【手続補正６】
【補正対象書類名】明細書
【補正対象項目名】００２０
【補正方法】変更
【補正の内容】
【００２０】
【図１】本発明の実施の形態によるプラグの組立途中の状態を示す底面斜視図である。
【図２】本発明の実施の形態によるプラグを示す底面図である。
【図３】図２のプラグをＡ−Ａ線に沿って示す断面図である。
【図４】図２のプラグを示す上面図である。
【図５】図２のプラグの組立工程を説明するための斜視図である。ここでプラグコンタクトは、プラグハウジングに取り付けられる前の状態であり、またキャリアに接続されている。
【図６】図５の製造工程に続く工程を示す斜視図である。ここでプラグコンタクトは、プラグハウジングに圧入されており、またキャリアは切り離されていない。
【図７】本発明の実施の形態によるレセプタクルの組立途中の状態を示す斜視図である。
【図８】本発明の実施の形態によるレセプタクルを示す上面図である。
【図９】図８のレセプタクルをＢ−Ｂ線に沿って示す断面図である。
【図１０】図９のレセプタクルの一部を示す拡大断面図である。
【図１１】図８のレセプタクルを示す底面図である。
【図１２】図８のレセプタクルの組立工程を説明するための斜視図である。ここでレセプタクルコンタクトは、レセプタクルハウジングに取り付けられる前の状態であり、またキャリアに接続されている。
【図１３】図２のプラグと図８のレセプタクルとを備えるコネクタ組立体の接続工程を示す斜視図である。ここで、プラグとレセプタクルは接続されていない。
【図１４】図１３の接続工程に続く工程を示す斜視図である。ここで、プラグとレセプタクルは接続されている。
【図１５】図１４のコネクタ組立体を示す平面図である。
【図１６】図１５のコネクタ組立体をＣ−Ｃ線に沿って示す断面図である。
【図１７】特許文献１の第１コネクタを示す断面図である。
【図１８】特許文献１の第２コネクタを示す断面図である。
【図１９】特許文献１の第１コネクタと第２コネクタとの嵌合状態を示す断面図である。
【手続補正７】
【補正対象書類名】明細書
【補正対象項目名】００２８
【補正方法】変更
【補正の内容】
【００２８】
本実施の形態の複数のプラグコンタクト２００は、４列のプラグコンタクト列を構成しており、プラグコンタクト列の夫々を構成するプラグコンタクト２００は、ピッチ方向に並んでいる。プラグコンタクト２００により構成されるプラグコンタクト列は、プラグコンタクト支持部１５１に夫々対応している。プラグコンタクト列の夫々は、対応するプラグコンタクト支持部１５１の＋Ｘ側に位置している。開口部１５２は、所定方向において隣り合う２列のプラグコンタクト列の間に夫々位置している。プラグ側保持部１５６は、プラグコンタクト２００と夫々対応している。
【手続補正８】
【補正対象書類名】明細書
【補正対象項目名】００３０
【補正方法】変更
【補正の内容】
【００３０】
被固定部２１０は、プラグ１００が回路基板（図示せず）上に搭載される際に回路基板（図示せず）に半田付けにより固定されるものである。図２及び図４に示されるように、プラグコンタクト列を構成するプラグコンタクト２００のすべての被固定部２１０は、所定方向において、１つの開口部１５２に延びている。詳しくは、所定方向において隣り合う２列のプラグコンタクト列の一方のプラグコンタクト列を構成するプラグコンタクト２００のすべての被固定部２１０は、１つの開口部１５２内に延びている。本実施の形態において、すべてのプラグコンタクト２００の被固定部２１０は、＋Ｘ方向に延びている。プラグコンタクト２００の被固定部２１０は、第１主面１５９上に露出している。
【手続補正９】
【補正対象書類名】明細書
【補正対象項目名】００３２
【補正方法】変更
【補正の内容】
【００３２】
図３及び図１６より理解されるように、接触部２１２は、第１連結部２１１の＋Ｚ側端から＋Ｚ方向に延びている。
【手続補正１０】
【補正対象書類名】明細書
【補正対象項目名】００３６
【補正方法】変更
【補正の内容】
【００３６】
次に、キャリア切断用治具５００を、プラグ１００の開口部１５２に対して＋Ｚ側から上下方向に沿って挿入し、キャリア２５０と被固定部２１０との接続箇所２５２に対してキャリア切断用治具５００の−Ｚ側端部を押圧することにより、キャリア２５０をプラグコンタクト２００から切り離す。これにより、プラグ１００は図１に示される状態となる。このように、プラグ１００においては、キャリア２５０に連結した複数のプラグコンタクト２００をプラグハウジング１５０に組み込んだ後において、プラグコンタクト２００からキャリア２５０を切り離す際に、開口部１５２からキャリア切断用治具５００を挿入することにより複数のプラグコンタクト２００から同時にキャリア２５０を分離することができる。さらに、一つのプラグコンタクト支持部１５１のプラグ側保持部１５６にプラグコンタクト２００を取り付けた後、＋Ｘ側に隣接するプラグコンタクト支持部１５１のプラグ側保持部１５６に対して同様にキャリア２５０に連結されたプラグコンタクト２００を圧入することにより、順次プラグコンタクト２００をプラグハウジング１５０に取り付ける。この際、被固定部２１０の向きが揃っていることから、既に圧入されたプラグコンタクト２００の被固定部２１０とキャリア２５０とが接触することなく、この取付作業を行うことができる。これにより、プラグコンタクト２００の破損を避けることができる。
【手続補正１１】
【補正対象書類名】明細書
【補正対象項目名】００５５
【補正方法】変更
【補正の内容】
【００５５】
図１２に示されるように、レセプタクルハウジング３５０に取り付けられる前の複数のレセプタクルコンタクト４００は、キャリア４９０に接続された状態となっている。レセプタクルコンタクト４００をレセプタクルハウジング３５０のレセプタクル側保持部３５４に対応させた状態で、第２連結部４１５を治具（図示せず）で押圧することにより、レセプタクルハウジング３５０に対してレセプタクルコンタクト４００を一括して組み込むことができる。詳しくは、第２連結部４１５が押圧されると、レセプタクルコンタクト４００が、レセプタクルハウジング３５０のレセプタクルコンタクト支持部３５３のレセプタクル側保持部３５４に対して−Ｚ方向に夫々圧入され、レセプタクルコンタクト４００の圧入部４２０はレセプタクルハウジング３５０の被圧入部３５２に食い込む。このようにして、レセプタクルコンタクト４００の圧入部４２０は、レセプタクルハウジング３５０の被圧入部３５２に保持される。このとき、図６乃至図８及び図１２から理解されるように、レセプタクル３００を−Ｚ側から上下方向に沿って見た場合、複数のレセプタクルコンタクト４００の被固定部４１０は、レセプタクルハウジング３５０のレセプタクル側凹部３５７及び開口部３５１を通して視認できるようになっている。
【手続補正１２】
【補正対象書類名】明細書
【補正対象項目名】００５７
【補正方法】変更
【補正の内容】
【００５７】
上述したプラグ１００（図２参照）とレセプタクル３００（図８参照）とを備えるコネクタ組立体１０の接続は、以下に説明するように行われる。まず図１３を参照して、上下方向において、プラグ１００のプラグコンタクト２００の被固定部２１０が露出している面、即ち第１主面１５９を−Ｚ側に向けると共にレセプタクル３００のレセプタクルコンタクト４００の被固定部４１０が露出している面、即ち第２主面３５９を＋Ｚ側に向けたうえで、両者を上下方向において近づける。
【手続補正１３】
【補正対象書類名】図面
【補正対象項目名】図１
【補正方法】変更
【補正の内容】
【図１】
2017084736.tif 000001
【手続補正１４】
【補正対象書類名】図面
【補正対象項目名】図２
【補正方法】変更
【補正の内容】
【図２】
2017084736.tif 000002
【手続補正１５】
【補正対象書類名】図面
【補正対象項目名】図３
【補正方法】変更
【補正の内容】
【図３】
2017084736.tif 000003
【手続補正１６】
【補正対象書類名】図面
【補正対象項目名】図４
【補正方法】変更
【補正の内容】
【図４】
2017084736.tif 000004
【手続補正１７】
【補正対象書類名】図面
【補正対象項目名】図５
【補正方法】変更
【補正の内容】
【図５】
2017084736.tif 000005
【手続補正１８】
【補正対象書類名】図面
【補正対象項目名】図６
【補正方法】変更
【補正の内容】
【図６】
2017084736.tif 000006